(57)【要約】【課題】素材となるシート部材の型抜きの板取り効率がよく、組み立ても容易であり、さらに、３頁以上の収納フォルダにも適用可能なブック型収納フォルダを提供する。【解決手段】ブック型収納フォルダ１０の素材となる厚紙部材１は、互いに平行する複数の水平折線を介して連設された頁用片体１１〜１３と、該頁用片体のそれぞれに垂直折線を介して連設された収納部用片体１４〜１６と、該収納部用片体の両側に水平折線を介して連設された糊代用片体とを具備し、上記収納部用片体を垂直折線で折り曲げ、さらに上記糊代用片体を水平折線で折り曲げ、対面する上記頁用片体の面に粘着することによって、挿入用開口を有する３つの収納部を有する収納フォルダが形成され、上記頁用片体を上記水平折線でそれぞれ重なるように折り畳んで携帯および／または保管可能状態とすることができる。【選択図】図１
2006036330.tif 000002
【特許請求の範囲】
【請求項１】
単一の展開状態のシート部材から形成されるブック型収納フォルダにおいて、
互いに平行する複数の水平折線を介して連設された２つ以上の頁用片体と、
少なくとも２つの上記頁用片体である第一および第二の頁用片体のそれぞれに、上記水平折線に対して垂直方向の垂直折線を介して、連設された第一および第二の収納部用片体と、
上記第一の収納部用片体の両側に水平折線を介して連設された第一の糊代用片体と、
展開状態で上記第一の糊代用片体に対して上記水平折線方向に沿う方向において上記第一の糊代用片体とは異なる領域に位置するようにして、上記第二の収納部用片体の両側に水平折れ腺を介して連設された第二の糊代用片体と、
を具備し、第一および第二の上記収納部用片体を上記垂直折線で折り曲げ、さらに上記水平折線で折り曲げた上記第一および第二の糊代用片体を対面する第一および第二の上記頁用片体の面に粘着することによって、収納可能な挿入用開口を有するように第一および第二の収納部を形成するようにし、複数の上記頁用片体を上記水平折線でそれぞれ重なるように折り畳んで携帯および／または保管可能としたことを特徴とするブック型収納フォルダ。
【請求項２】
上記シート部材の展開状態において、上記第一の糊代用片体と上記第二の糊代用片体とは、上記垂直折線に沿う方向では重なる領域に位置していることを特徴とする請求項１記載のブック型収納フォルダ。
【請求項３】
上記第一の収納部用片体には、上記シート部材の展開状態において上記第二の糊代用片体と上記垂直折線に沿う方向で重ならないように逃げるために、上記水平折り線方向に沿う側辺に切欠部が形成されているを特徴とする請求項１記載のブック型収納フォルダ。
【請求項４】
上記切欠部は、上記糊代用片体の外形に類似させた形状に形成されていることを特徴とする請求項３記載のブック型収納フォルダ。
【請求項５】
上記第一の糊代用片体および／または上記第一の収納部用片体には、上記シートの展開状態において上記第二の糊代用片体と上記垂直折線に沿う方向で重ならないように逃げるために、上記水平折り線方向に沿う側辺に切欠部が形成されていることを特徴とする請求項１記載のブック型収納フォルダ。
【請求項６】
上記頁用片体と第一および第二の上記収納部用片体とはそれぞれ上記垂直折線を２つ設けて、その間に形成される底面壁部を介して連設され、上記第一および第二の収納部用片体と第一および第二の上記糊代用片体とはそれぞれ上記水平折線を２つ設けてその間に形成される収納用側面壁部を介して連設され、２つ以上の上記頁用片体同士の間は上記水平折線を２つ設けてその間に形成される背表紙部を介して連結されて、箱状に形成されるようになっていることを特徴とする請求項１記載のブック型収納フォルダ。
【請求項７】
単一の展開状態のシート部材から形成されるブック型収納フォルダにおいて、
互いに平行する複数の水平折線を介して連設された第一、第二および第三の頁用片体と、
上記第一，第二および第三の頁用片体それぞれに、上記水平折線に対して垂直な垂直折線を介して、連設された第一，第二および第三の収納部用片体と、
上記第一の収納部用片体の両側に水平折線を介して連設された第一の糊代用片体と、
展開状態で上記第一の糊代用片体に対して上記水平折線方向に沿う方向において上記第一の糊代用片体とは異なる領域に位置するように、上記第二の収納御用片体の両側に水平折線を介して連設された第二の糊代用片体と、
展開状態で上記第一の糊代用片体に対して上記水平折線方向に沿う方向において上記第一の糊代用片体とは異なる領域に位置するように、上記第三の収納部用片体の両側に水平折れ腺を介して連設された第三の糊代用片体と、
を具備し、第一，第二および第三の上記収納部用片体を上記垂直折線で折り曲げ、さらに上記水平折線で折り曲げた第一，第二および上記第三の糊代用片体を対面する第一，第二および第三の上記頁用片体の面に粘着することによって、収納可能に挿入用開口を有するように第一，第二および第三の収納部を形成するようにし、上記第一，第二および第三の頁用片体を上記水平折線でそれぞれ重なるように折り畳んで携帯、および／または、保管可能としたことを特徴とするブック型収納フォルダ。
【発明の詳細な説明】
【技術分野】
【０００１】
本発明は、ブック形状を有する収納フォルダに関する。
【背景技術】
【０００２】
従来、取り扱い説明書や記録媒体用ディスク、あるいは、カードやはがき等をまとめて収納することができるブック形状を有する折り畳み可能な厚紙収納フォルダとして、例えば、折り畳み状態の斜視図である図２４の２頁型収納フォルダ、あるいは、図２８の３頁型収納フォルダがある。
【０００３】
図２３の開き状態，図２４の折り畳み状態に示す従来の２頁型収納フォルダ１００は、２つ折り可能であって、２つの収納部１００ａ，１００ｂを有している。上記収納部には、取り扱い説明書やＣＤ等の収納が可能である。図２２は、収納フォルダ１００の組み立て前の厚紙部材（ブランク状態）１０１の展開図を示している。なお、以下の説明で展開図上の左，右方向（水平方向）をＸ方向とし、上下方向（垂直方向）をＹ方向とする。
【０００４】
シート部材である厚紙部材１０１は、頁用片体１０１ａ，１０１ｂと、収納部片体１０１ｄ，１０１ｅと、収納部片体の端部に連設される糊代用片体１０１ｆ，１０１ｇ等を有してなる。頁用片体１０１ａと、１０１ｂとは、背表紙部１０１ｃを介して連設される。収納部片体１０１ｄは、底面部を介して連設され、収納部片体１０１ｅは、側面部を介して連設される。
【０００５】
図２１の破線で示した折線を谷折りして組み立て、糊代用片体１０１ｆ，１０１ｇを頁用片体１０１ａ，１０１ｂにそれぞれ糊付けすると、図２３に示す開き状態の２頁型収納フォルダ１００が得られる。この収納フォルダ１００を折り畳むと図２４の折り畳み状態となり、この状態で携帯、あるいは、保管が可能である。
【０００６】
一方、図２８の３頁型収納フォルダ１１０は、３つ折り可能であって、図２７の開き状態の斜視図に示すように３つの収納部１１０ａ，１１０ｂ，１１０ｃを有している。図２６は、収納フォルダ１１０の組み立て前の厚紙部材（ブランク状態）１１１の展開図を示している。
【０００７】
シート部材である厚紙部材１１１は、頁用片体１１１ａ，１１１ｂ，１１１ｃと、収納部片体１１１ｆ，１１１ｇ，１１１ｈと、上記収納部片体の端部に連設される糊代用片体１１１ｉ，１１１ｊ，１１１ｋ等を有してなる。頁用片体１１１ａと１１１ｂとは、背表紙部１１１ｄを介して連設され、頁用片体１１１ｂと頁用片体１１１ｃとは、背表紙部１１１ｅを介して連設される。収納部片体１１１ｆは、側面部を介して連設され、収納部片体１１１ｇは、底面部を介して連設され、収納部片体１１１ｈは、側面部を介して連設される。
【０００８】
図２６の破線で示した折線を谷折りして組み立て、糊代用片体１１１ｉ，１１１ｊ，１１１ｋを頁用片体１１１ａ，１１１ｂ，１１１ｃにそれぞれ糊付けすると、図２７に示す開き状態の３頁型収納フォルダ１１０が得られる。この収納フォルダ１１０を折り畳むと図２８の折り畳み状態となり、この状態で携帯、あるいは、保管が可能である。
【発明の開示】
【発明が解決しようとする課題】
【０００９】
しかし、上述した図２４に示す２頁型収納フォルダ１００の厚紙部材１０１の板取りは、図２２に示すようにおおよそＬ字形状となり、デッドスペ−スが大きく、必ずしも板取りの効率がよいとはいえない。そこで、図２５の厚紙部材の展開図に示すように収納部片体１０１ｅをＹ側に連設して設けると、収納部片体１０１ｄと１０１ｅとが干渉（ハッチング指示部分）して板取りができない。
【００１０】
一方、上述した図２８に示す３頁型収納フォルダ１１０の厚紙部材１１１の板取りも図２６に示すように両サイドに収納部片体が突出するのでＸ方向の幅が広くなる。例えば、収納物として記録媒体であるＣＤやはがきサイズの説明書等を収納する３頁型収納フォルダを考えると、図２６に示す板取りでは、Ａ２版（ＪＩＳ）等の定型サイズの大きさに対して１枚の厚紙部材１１１が取れなかったり、取り数が悪く、デッドスペ−スが大きくなったりして効率が悪い。
【００１１】
また、図２６の展開図のような板取り形状では４頁以上の収納フォルダは製作できないといった問題もある。
【００１２】
本発明は、上述の問題を解決するためになされたものであり、素材となるシート部材の型抜きの板取り効率がよく、組み立ても容易であり、２頁だけでなく、３頁以上の収納フォルダにも適用可能なブック型収納フォルダを提供することを目的とする。
【課題を解決するための手段】
【００１３】
本発明の請求項１記載のブック型収納フォルダは、単一の展開状態のシート部材から形成されるブック型収納フォルダにおいて、互いに平行する複数の水平折線を介して連設された２つ以上の頁用片体と、少なくとも２つの上記頁用片体である第一および第二の頁用片体のそれぞれに、上記水平折線に対して垂直方向の垂直折線を介して、連設された第一および第二の収納部用片体と、上記第一の収納部用片体の両側に水平折線を介して連設された第一の糊代用片体と、展開状態で上記第一の糊代用片体に対して上記水平折線方向に沿う方向において上記第一の糊代用片体とは異なる領域に位置するようにして、上記第二の収納部用片体の両側に水平折れ腺を介して連設された第二の糊代用片体とを具備し、第一および第二の上記収納部用片体を上記垂直折線で折り曲げ、さらに上記水平折線で折り曲げた上記第一および第二の糊代用片体を対面する第一および第二の上記頁用片体の面に粘着することによって、収納可能な挿入用開口を有するように第一および第二の収納部を形成するようにし、複数の上記頁用片体を上記水平折線でそれぞれ重なるように折り畳んで携帯および／または保管可能とする。
【００１４】
本発明の請求項２記載のブック型収納フォルダは、請求項１記載のブック型収納フォルダにおいて、上記シート部材の展開状態において、上記第一の糊代用片体と上記第二の糊代用片体とは、上記垂直折線に沿う方向では重なる領域に位置している。
【００１５】
本発明の請求項３記載のブック型収納フォルダは、請求項１記載のブック型収納フォルダにおいて、上記第一の収納部用片体には、上記シート部材の展開状態において上記第二の糊代用片体と上記垂直折線に沿う方向で重ならないように逃げるために、上記水平折り線方向に沿う側辺に切欠部が形成されている。
【００１６】
本発明の請求項４記載のブック型収納フォルダは、請求項３記載のブック型収納フォルダにおいて、上記切欠部は、上記糊代用片体の外形に類似させた形状に形成されている。
【００１７】
本発明の請求項５記載のブック型収納フォルダは、請求項１記載のブック型収納フォルダにおいて、上記第一の糊代用片体および／または上記第一の収納部用片体には、上記シートの展開状態において上記第二の糊代用片体と上記垂直折線に沿う方向で重ならないように逃げるために、上記水平折り線方向に沿う側辺に切欠部が形成されている。
【００１８】
本発明の請求項６記載のブック型収納フォルダは、請求項１記載のブック型収納フォルダにおいて、上記頁用片体と第一および第二の上記収納部用片体とはそれぞれ上記垂直折線を２つ設けて、その間に形成される底面壁部を介して連設され、上記第一および第二の収納部用片体と第一および第二の上記糊代用片体とはそれぞれ上記水平折線を２つ設けてその間に形成される収納用側面壁部を介して連設され、２つ以上の上記頁用片体同士の間は上記水平折線を２つ設けてその間に形成される背表紙部を介して連結されて、箱状に形成されるようになっている。
【００１９】
本発明の請求項７記載のブック型収納フォルダは、単一の展開状態のシート部材から形成されるブック型収納フォルダにおいて、互いに平行する複数の水平折線を介して連設された第一、第二および第三の頁用片体と、上記第一，第二および第三の頁用片体それぞれに、上記水平折線に対して垂直な垂直折線を介して、連設された第一，第二および第三の収納部用片体と、上記第一の収納部用片体の両側に水平折線を介して連設された第一の糊代用片体と、展開状態で上記第一の糊代用片体に対して上記水平折線方向に沿う方向において上記第一の糊代用片体とは異なる領域に位置するように、上記第二の収納御用片体の両側に水平折線を介して連設された第二の糊代用片体と、展開状態で上記第一の糊代用片体に対して上記水平折線方向に沿う方向において上記第一の糊代用片体とは異なる領域に位置するように、上記第三の収納部用片体の両側に水平折れ腺を介して連設された第三の糊代用片体とを具備し、第一，第二および第三の上記収納部用片体を上記垂直折線で折り曲げ、さらに上記水平折線で折り曲げた第一，第二および上記第三の糊代用片体を対面する第一，第二および第三の上記頁用片体の面に粘着することによって、収納可能に挿入用開口を有するように第一，第二および第三の収納部を形成するようにし、上記第一，第二および第三の頁用片体を上記水平折線でそれぞれ重なるように折り畳んで携帯、および／または、保管可能としたことを特徴とするブック型収納フォルダ。
【発明の効果】
【００２０】
本発明によれば、素材となるシート部材の型抜きの板取り効率がよく、組み立ても容易であり、３頁以上の収納フォルダにも適用可能なブック型収納フォルダを提供することができる。
【発明を実施するための最良の形態】
【００２１】
以下、図を用いて本発明の各実施形態について説明する。  
図１は、本発明の第一の実施形態のブック型収納フォルダの素材である厚紙部材（抜き型）の展開図である。図２は、上記ブック型収納フォルダの開き状態での斜視図である。図３は、上記ブック型収納フォルダの折り畳み状態での斜視図である。なお、以下の説明において、図１のＸ方向を左右方向（水平方向）とし、Ｘ方向に直交するＹ方向を上下方向（垂直方向）として説明する。
【００２２】
本実施形態のブック型収納フォルダ１０は、３頁型収納フォルダであって、その素材となる単一のシート部材である厚紙部材１は、図１に示すように第一の頁用片体である頁用片体１１と、第二の頁用片体である頁用片体１２と、第三の頁用片体である頁用片体１３と、第一の収納部片体である収納部片体１４と、第二の収納部片体である収納部片体１５と、第三の収納部片体である収納部片体１６と、２つの背表紙部１ａ，１ｂと、３つの底面壁部１ｃ，１ｄ，１ｅと、収納部片体１４，１５，１６のそれぞれ左右両側方に収納用側面壁部１ｆ，１ｈ，１ｊと、収納用側面壁部１ｆの左右外側に連設される第一の糊代用片体である糊代用片体１ｇと、収納用側面壁部１ｈの左右外側に連設される第二の糊代用片体である糊代用片体１ｉと、収納用側面壁部１ｊの左右外側に連設される第三の糊代用片体である糊代用片体１ｋとを有している。
【００２３】
頁用片体１１と頁用片体１２とは、間に背表紙部１ａを配した状態でＹ方向の２本の水平折線１ｍにて連結されている。頁用片体１１と頁用片体１３とは、間に背表紙部１ｂを配した状態でＹ方向の２本の水平折線１ｎにて連結されている。
【００２４】
収納部片体１４は、頁用片体１１に対して、間に底面壁部１ｃを配した状態でＸ方向の２本の垂直折線１ｐを介して連設されている。収納部片体１４のＹ方向の長さは、収納部片体１５，１６より長い。収納部片体１５は、頁用片体１２に対して、間に底面壁部１ｄを配した状態でＸ方向の２本の垂直折線１ｑを介して連設されている。収納部片体１６は、頁用片体１３に対して、間に底面壁部１ｅを配した状態でＸ方向の２本の垂直折線１ｒを介して連設されている。
【００２５】
左右の収納用側面壁部１ｆと糊代用片体１ｇとは、それぞれ収納部片体１４のＹ方向の先端側所定長さ範囲にて収納部片体１４の外側にＹ方向の２本の水平折線１ｓを介して連設されている。なお、各２本のうち、内側の水平折線１ｓは、水平折線１ｎ、または、１ｍの延長線上に位置している。
【００２６】
左右の収納用側面壁部１ｈと糊代用片体１ｉとは、それぞれ収納部片体１５の外側にＹ方向の２本の水平折線１ｔを介して連設されている。なお、各２本のうち、内側の水平折線１ｔは、水平折線１ｍ、または、頁用片体１２のＸ方向端面の延長線上に位置している。
【００２７】
左右の収納用側面壁部１ｊと糊代用片体１ｋとは、それぞれ収納部片体１６の外側にＹ方向の２本の水平折線１ｕを介して連設されている。なお、各２本のうち、内側の水平折線１ｕは、水平折線１ｎ、または、頁用片体１３のＸ方向端面の延長線上に位置している。
【００２８】
収納部片体１４の右側糊代用片体１ｇと収納部片体１５の左側糊代用片体１ｉとは、垂直折線の方向であるＸ方向に対しては、重なる位置にあるが、水平折線の方向であるＹ方向で異なる領域に位置している。したがって、上記両者は、互いに重ならずにずれた位置にある。
【００２９】
同様に収納部片体１４の左側糊代用片体１ｇと収納部片体１６の右側糊代用片体１ｋとは、垂直折線の方向であるＸ方向に対しては、重なる位置にあるが、水平折線の方向であるＹ方向で異なる領域に位置している。したがって、上記両者は、互いに重ならずにずれた位置にある。
【００３０】
なお、収納部片体１４の収納用側面壁部１ｆのＸ方向の幅を寸法Ａ、収納部片体１５の収納用側面壁部１ｈのＸ方向の幅を寸法Ｂ、収納部片体１６の収納用側面壁部１ｊのＸ方向の幅を寸法Ｃとすると、背表紙部１ａのＹ方向の幅Ｄ、および、背表紙部１ａのＹ方向の幅Ｅは、およそ次式で与えられる。すなわち、
Ｄ＝Ａ＋Ｂ
Ｅ＝Ｄ＋Ｃ
である。なお、実際の寸法は、紙の厚みや折り曲げ時の膨らみを考慮して決められる。また、この寸法関係は、他の実施形態に対しても当てはまる。
【００３１】
上述した形状を有する厚紙部材１を折り曲げてブック型収納フォルダ１０の形状にするには、図１の破線で示す水平折線および垂直折線を谷折りする。各糊代用片体の裏面（図１上）を各対応する頁用片体に糊付け（粘着）すると、図２に示す開き状態のブック型収納フォルダ１０が完成する。
【００３２】
この収納フォルダ１０には、頁用片体１１と収納部片体１４と収納用側面壁部１ｆと底面壁部１ｃで囲まれた箱状の挿入用開口部１４ａを有する第一の収納部である第二頁の収納部１４ｂが形成される。さらに、頁用片体１２と収納部片体１５と収納用側面壁部１ｈと底面壁部１ｄで囲まれた箱状の挿入用開口部１５ａを有する第二の収納部である第三頁の収納部１５ｂが形成される。またさらに、頁用片体１３と収納部片体１６と収納用側面壁部１ｊと底面壁部１ｅで囲まれた箱状の挿入用開口部１６ａを有する第三の収納部である第一頁の収納部１６ｂが形成される。なお、それぞれの挿入用開口部には曲線状の収納物取り出し用切欠１ｖを設けて操作性を向上させている。
【００３３】
図２に示す開き状態の収納フォルダ１０の上記各収納部には、使用説明書やカード等が分類して収納される。その収納状態で水平折線１ｍ，１ｎを谷折りして重なるように折り畳むと、図３に示す携帯、または、保管が可能な折り畳み状態のブック型収納フォルダ１０となる。
【００３４】
以上、説明した本実施形態のブック型収納フォルダ１０によれば、素材となる厚紙部材１が図１に示すようにＸ方向寸法は、頁用片体より突出する部分として僅かな収納用側面壁部と糊代用片体の分をプラスした板取り寸法でよく、前述した従来の収納フォルダに比較して厚紙のＸ方向の必要寸法が減る。また、Ｙ方向は、頁用片体下方に底面壁部と収納部片体を配置した板取りを採用することで残材が減少し、効率のよい板取りが可能となる。さらに、従来の収納フォルダのように厚紙部材の板取りで頁用片体にの側方に収納部片体部分が連設されることがないことから、３頁以上のブック型収納フォルダにも適用が可能である。勿論、２頁のブック型収納フォルダにも適用が可能である
次に、本発明の第二の実施形態のブック型収納フォルダについて、図４〜６を用いて説明する。  
図４は、上記ブック型収納フォルダの素材である厚紙部材（抜き型）の展開図である。図５は、上記ブック型収納フォルダの開き状態での斜視図である。図６は、上記ブック型収納フォルダの折り畳み状態での斜視図である。
【００３５】
本実施形態のブック型収納フォルダ２０も３頁型収納フォルダであって、その素材となる単一のシート部材である厚紙部材２は、図４に示すように第一の頁用片体である頁用片体２１と、第二の頁用片体である頁用片体２２と、第三の頁用片体である頁用片体２３と、第一の収納部片体である収納部片体２４と、第二の収納部片体である収納部片体２５と、第三の収納部片体である収納部片体２６と、２つの背表紙部２ａ，２ｂと、３つの底面壁部２ｃ，２ｄ，２ｅと、収納部片体２４，２５，２６のそれぞれ左右両側方に収納用側面壁部２ｆ，２ｈ，２ｊと、収納用側面壁部２ｆの左右外側に連設される第一の糊代用片体である糊代用片体２ｇと、収納用側面壁部２ｈの左右外側に連設される第二の糊代用片体である糊代用片体２ｉと、収納用側面壁部２ｊの左右外側に連設される第三の糊代用片体である糊代用片体２ｋとを有している。
【００３６】
頁用片体２１と頁用片体２２とは、間に背表紙部２ａを配した状態でＹ方向の２本の水平折線２ｍにて連結されている。頁用片体２１と頁用片体２３とは、間に背表紙部２ｂを配した状態でＹ方向の２本の水平折線２ｎにて連結されている。
【００３７】
収納部片体２４は、頁用片体２１に対して、間に底面壁部２ｃを配した状態でＸ方向の２本の垂直折線２ｐを介して連設されている。収納部片体２４のＹ方向の長さは、収納部片体２５，２６より短い。収納部片体２５は、頁用片体２２に対して、間に底面壁部２ｄを配した状態でＸ方向の２本の垂直折線２ｑを介して連設されている。収納部片体２６は、頁用片体２３に対して、間に底面壁部２ｅを配した状態でＸ方向の２本の垂直折線２ｒを介して連設されている。
【００３８】
左右の収納用側面壁部２ｆと糊代用片体２ｇとは、それぞれ収納部片体２４の外側にＹ方向の２本の水平折線２ｓを介して連設されている。なお、２本のうち、内側の水平折線２ｓは、水平折線２ｎ，２ｍの延長線上に位置している。
【００３９】
左右の収納用側面壁部２ｈと糊代用片体２ｉとは、それぞれ収納部片体２５のＹ方向の先端側所定長さ範囲にて収納部片体２５の外側にＹ方向の２本の水平折線２ｔを介して連設されている。なお、２本のうち、内側の水平折線２ｔは、水平折線２ｍ、または、頁用片体２２のＸ方向端面の延長線上に位置している。
【００４０】
左右の収納用側面壁部２ｊと糊代用片体２ｋとは、それぞれ収納部片体２６のＹ方向の先端側所定長さ範囲にて収納部片体２６の外側にＹ方向の２本の水平折線２ｕを介して連設されている。なお、２本のうち、内側の水平折線２ｕは、水平折線２ｎ、または、頁用片体２３のＸ方向端面の延長線上に位置している。
【００４１】
収納部片体２４の右側糊代用片体２ｇと収納部片体２５の左側糊代用片体２ｉとは、垂直折線の方向であるＸ方向に対しては、重なる位置にあるが、水平折線の方向であるＹ方向で異なる領域に位置している。したがって、上記両者は、互いに重ならずにずれた位置にある。
【００４２】
同様に収納部片体２４の左側糊代用片体２ｇと収納部片体２６の右側糊代用片体２ｋとは、水平折線の方向であるＹ方向で異なる領域に位置しているとともに、垂直折線の方向であるＸ方向に対しては、重なる位置にある。したがって、上記両者は、互いに重ならずにずれた位置にある。
【００４３】
上述した形状を有する厚紙部材２を折り曲げてブック型収納フォルダ２０の形状にするには、図４の破線で示す水平折線および垂直折線を谷折りする。各糊代用片体の裏面（図４上）を各対応する頁用片体に糊付けると（粘着）、図５に示す開き状態のブック型収納フォルダ２０が完成する。
【００４４】
この収納フォルダ２０には、頁用片体２１と収納部片体２４と収納用側面壁部２ｆと底面壁部２ｃで囲まれた箱状の挿入用開口部２４ａを有する第一の収納部である第二頁の収納部２４ｂが形成される。さらに、頁用片体２２と収納部片体２５と収納用側面壁部２ｈと底面壁部２ｄで囲まれた箱状の挿入用開口部２５ａを有する第二の収納部である第三頁の収納部２５ｂが形成される。またさらに、頁用片体２３と収納部片体２６と収納用側面壁部２ｊと底面壁部２ｅで囲まれた箱状の挿入用開口部２６ａを有する第三の収納部である第一頁の収納部２６ｂが形成される。
【００４５】
図５に示す開き状態の収納フォルダ２０の上記各収納部には、使用説明書やカード等が分類して収納される。その収納状態で水平折線２ｍ，２ｎを谷折りして重なるように折り畳むと、図６に示す携帯、または、保管が可能な折り畳み状態のブック型収納フォルダ２０となる。
【００４６】
本実施形態のブック型収納フォルダ２０は、前述第一の実施形態のブック型収納フォルダ１０と同様の効果を奏する。
【００４７】
次に、本発明の第三の実施形態のブック型収納フォルダについて、図７〜９を用いて説明する。  
図７は、上記ブック型収納フォルダの素材である厚紙部材（抜き型）の展開図である。図８は、上記ブック型収納フォルダの開き状態での斜視図である。図９は、上記ブック型収納フォルダの折り畳み状態での斜視図である。
【００４８】
本実施形態のブック型収納フォルダ３０も３頁型収納フォルダであって、その素材となる単一のシート部材である厚紙部材３は、図７に示すように第一の頁用片体である頁用片体３１と、第二の頁用片体である頁用片体３２と、第三の頁用片体である頁用片体３３と、第一の収納部片体である収納部片体３４と、第二の収納部片体である収納部片体３５と、第三の収納部片体である収納部片体３６と、２つの背表紙部３ａ，３ｂと、３つの底面壁部３ｃ，３ｄ，３ｅと、収納部片体３４，３５，３６のそれぞれ左右両側方に収納用側面壁部３ｆ，３ｈ，３ｊと、収納用側面壁部３ｆの左右外側に連設される第一の糊代用片体である糊代用片体３ｇと、収納用側面壁部３ｈの左右外側に連設される第二の糊代用片体である糊代用片体３ｉと、収納用側面壁部３ｊの左右外側に連設される第三の糊代用片体である糊代用片体３ｋとを有している。
【００４９】
頁用片体３１と頁用片体３２とは、間に背表紙部３ａを配した状態でＹ方向の２本の水平折線３ｍにて連結されている。頁用片体３１と頁用片体３３とは、間に背表紙部３ｂを配した状態でＹ方向の２本の水平折線３ｎにて連結されている。
【００５０】
収納部片体３４は、頁用片体３１に対して、間に底面壁部３ｃを配した状態でＸ方向の２本の垂直折線３ｐを介して連設されており、Ｙ方向の長さは、収納部片体３５，３６より長い。収納部片体３５は、頁用片体３２に対して、間に底面壁部３ｄを配した状態でＸ方向の２本の垂直折線３ｑを介して連設されている。収納部片体３６は、頁用片体３３に対して、間に底面壁部３ｅを配した状態でＸ方向の２本の垂直折線３ｒを介して連設されている。
【００５１】
左右の収納用側面壁部３ｆと糊代用片体３ｇとは、それぞれ収納部片体３４の先端側のＹ方向所定長さ範囲にて収納部片体３４の外側にＹ方向の２本の水平折線３ｓを介した状態で連設されている。なお、各２本のうち、内側の水平折線３ｓは、水平折線３ｎ、または、３ｍの延長線上に位置している。
【００５２】
左右の収納用側面壁部３ｈと糊代用片体３ｉとは、それぞれ収納部片体３５の外側にＹ方向の２本の水平折線３ｔを介して連設されている。なお、各２本のうち、内側の水平折線３ｔは、水平折線３ｍ、または、頁用片体３２のＸ方向端面の延長線上に位置している。
【００５３】
左右の収納用側面壁部３ｊと糊代用片体３ｋとは、それぞれ収納部片体３６との間にＹ方向の２本の水平折線３ｕを介して連設されている。なお、各２本のうち、内側の水平折線３ｕは、水平折線３ｎ、または、頁用片体３３のＸ方向端面の延長線上に位置している。
【００５４】
収納部片体３４の右側糊代用片体３ｇと収納部片体３５の左側糊代用片体３ｉとは、垂直折線の方向であるＸ方向に対しては、重なる位置にあるが、水平折線の方向であるＹ方向で異なる領域に位置している。したがって、上記両者は、互いに重ならずにずれた位置にある。
【００５５】
しかし、左側糊代用片体３ｉのＸ方向先端部が水平折線３ｍの線上に食い込んでいる。その食い込みによる収納部片体３４の右側辺部との干渉を避けるため、左側糊代用片体３ｉの先端外形形状に類似させた形状の切欠部３ｖを収納部片体３４の右側辺部に設ける。なお、収納部片体３４の左側辺部にも対称外形とするために同形状の切欠部３ｖを設け、デザイン性を向上させている。
【００５６】
収納部片体３４の左側糊代用片体３ｇと収納部片体３６の右側糊代用片体３ｋとは、垂直折線の方向であるＸ方向に対しては、重なる位置にあるが、水平折線の方向であるＹ方向で異なる領域に位置している。したがって、上記両者は、互いに重ならずにずれた位置にある。
【００５７】
上述した形状を有する厚紙部材３を折り曲げてブック型収納フォルダ３０の形状にするには、図７の破線で示す水平折線および垂直折線を谷折りする。各糊代用片体の裏面（図７上）を各対応する頁用片体に糊付け（粘着）すると、図８に示す開き状態のブック型収納フォルダ３０が完成する。
【００５８】
この収納フォルダ３０には、頁用片体３１と収納部片体３４と収納用側面壁部３ｆと底面壁部３ｃで囲まれた箱状の挿入用開口部３４ａを有する第一の収納部である第二頁の収納部３４ｂが形成される。さらに、頁用片体３２と収納部片体３５と収納用側面壁部３ｈと底面壁部３ｄで囲まれた箱状の挿入用開口部３５ａを有する第二の収納部である第三頁の収納部３５ｂが形成される。またさらに、頁用片体３３と収納部片体３６と収納用側面壁部３ｊと底面壁部３ｅで囲まれた箱状の挿入用開口部３６ａを有する第三の収納部である第一頁の収納部３６ｂが形成される。なお、それぞれの挿入用開口部３５ａ，３６ｂには曲線状の収納物取り出し用切欠部３ｚを設け、操作性を向上させている。
【００５９】
図８に示す開き状態の収納フォルダ３０の上記各収納部には、使用説明書やカード等が分類して収納される。その収納状態で水平折線３ｍ，３ｎを谷折りして重なるように折り畳むと、図９に示す携帯、または、保管が可能な折り畳み状態のブック型収納フォルダ３０となる。
【００６０】
上述した本実施形態のブック型収納フォルダ３０は、前述第一の実施形態のブック型収納フォルダ１０と同様の効果を奏するが、さらに、収納フォルダの形状によって第三頁側の糊代用片体３ｉが第二頁側の収納部片体３４側に重なるような配置を有する場合にも適用することが可能となり適用可能範囲が広がる。
【００６１】
次に、本発明の第四の実施形態のブック型収納フォルダについて、図１０〜１２を用いて説明する。  
図１０は、上記ブック型収納フォルダの素材である厚紙部材（抜き型）の展開図である。図１１は、上記ブック型収納フォルダの開き状態での斜視図である。図１２は、上記ブック型収納フォルダの折り畳み状態での斜視図である。
【００６２】
本実施形態のブック型収納フォルダ４０も３頁型収納フォルダであって、その素材となる単一のシート部材である厚紙部材４は、図１０に示すように第一の頁用片体である頁用片体４１と、第二の頁用片体である頁用片体４２と、第三の頁用片体である頁用片体４３と、第一の収納部片体である収納部片体４４と、第二の収納部片体である収納部片体４５と、第三の収納部片体である収納部片体４６と、２つの背表紙部４ａ，４ｂと、３つの底面壁部４ｃ，４ｄ，４ｅと、収納部片体４４，４５，４６のそれぞれ左右両側方に収納用側面壁部４ｆ，４ｈ，４ｊと、収納用側面壁部４ｆの左右外側に連設される第一の糊代用片体である糊代用片体４ｇと、収納用側面壁部４ｈの左右外側に連設される第二の糊代用片体である糊代用片体４ｉと、収納用側面壁部４ｊの左右外側に連設される第三の糊代用片体である糊代用片体４ｋとを有している。
【００６３】
頁用片体４１と頁用片体４２とは、間に背表紙部４ａを配した状態でＹ方向の２本の水平折線４ｍにて連結されている。頁用片体４１と頁用片体４３とは、間に背表紙部４ｂを配した状態でＹ方向の２本の水平折線４ｎにて連結されている。
【００６４】
収納部片体４４は、頁用片体４１に対して、間に底面壁部４ｃを配した状態でＸ方向の２本の垂直折線４ｐを介して連設されている。収納部片体４４のＹ方向の長さは、収納部片体４５，４６より短い。収納部片体４５は、頁用片体４２に対して、間に底面壁部４ｄを配した状態でＸ方向の２本の垂直折線４ｑを介して連設されている。収納部片体４６は、頁用片体４３に対して、間に底面壁部４ｅを配した状態でＸ方向の２本の垂直折線４ｒを介して連設されている。
【００６５】
左右の収納用側面壁部４ｆと糊代用片体４ｇとは、それぞれ収納部片体４４の外側にＹ方向の２本の水平折線４ｓを介した状態で連設されている。なお、各２本のうち、内側の水平折線４ｓは、水平折線４ｎ、または、４ｍの延長線上に位置している。
【００６６】
左右の収納用側面壁部４ｈと糊代用片体４ｉとは、それぞれ収納部片体４５の先端側のＹ方向所定長さ範囲にて収納部片体４５の外側にＹ方向の２本の水平折線４ｔを介して連設されている。なお、各２本のうち、内側の水平折線４ｔは、水平折線４ｍ、または、頁用片体４２のＸ方向端面の延長線上に位置している。
【００６７】
左右の収納用側面壁部４ｊと糊代用片体４ｋとは、それぞれ収納部片体４６の先端側のＹ方向所定長さ範囲にて収納部片体４６との間にＹ方向の２本の水平折線４ｕを介して連設されている。なお、各２本のうち、内側の水平折線４ｕは、水平折線４ｎ、または、頁用片体４３のＸ方向端面の延長線上に位置している。
【００６８】
収納部片体４４の右側糊代用片体４ｇと収納部片体４５の左側糊代用片体４ｉとは、垂直折線の方向であるＸ方向に対しては、重なる位置にあるが、水平折線の方向であるＹ方向で異なる領域に位置している。したがって、上記両者は、互いに重ならずにずれた位置にある。
【００６９】
しかし、右側糊代用片体４ｇのＸ方向先端部が水平折線４ｍの線上に食い込んでおり、その食い込みによる収納部片体４５の左側辺部との干渉を避けるため、右側糊代用片体４ｇの先端外形形状に類似させた形状の切欠部４ｘを収納部片体４５の左側辺部に設ける。なお、収納部片体４５の右側辺部にも対称外形とするために同形状の切欠部４ｘを設け、デザイン性を向上させている。
【００７０】
収納部片体４４の左側糊代用片体４ｇと収納部片体４６の右側糊代用片体４ｋとは、垂直折線の方向であるＸ方向に対しては、重なる位置にあるが、水平折線の方向であるＹ方向で異なる領域に位置している。したがって、上記両者は、互いに重ならずにずれた位置にある。そして、収納部片体４６の左右側辺部にも収納部片体４５と対称外形とするために同形状の切欠部４ｙを設け、デザイン性を向上させている。
【００７１】
上述した形状を有する厚紙部材４を折り曲げてブック型収納フォルダ４０の形状にするには、図１０の破線で示す水平折線および垂直折線を谷折りする。各糊代用片体の裏面（図１０上）を各対応する頁用片体に糊付け（粘着）すると、図１１に示す開き状態のブック型収納フォルダ４０が完成する。
【００７２】
この収納フォルダ４０には、頁用片体４１と収納部片体４４と収納用側面壁部４ｆと底面壁部４ｃで囲まれた箱状の挿入用開口部４４ａを有する第一の収納部である第二頁の収納部４４ｂが形成される。さらに、頁用片体４２と収納部片体４５と収納用側面壁部４ｈと底面壁部４ｄで囲まれた箱状の挿入用開口部４５ａを有する第二の収納部である第三頁の収納部４５ｂが形成される。またさらに、頁用片体４３と収納部片体４６と収納用側面壁部４ｊと底面壁部４ｅで囲まれた箱状の挿入用開口部４６ａを有する第三の収納部である第一頁の収納部４６ｂが形成される。なお、挿入用開口部４４ａには曲線状の収納物取り出し用切欠部４ｚが設けられている。
【００７３】
図１１に示す開き状態の収納フォルダ４０の上記各収納部には、使用説明書やカード等が分類して収納される。その収納状態で水平折線４ｍ，４ｎを谷折りして重なるように折り畳むと、図１２に示す携帯、または、保管可能なブック型収納フォルダ４０となる。
【００７４】
上述した本実施形態のブック型収納フォルダ４０によれば、前述第三の実施形態のブック型収納フォルダ３０と同様の効果を奏する。
【００７５】
次に、本発明の第五の実施形態のブック型収納フォルダについて、図１３〜１５を用いて説明する。  
図１３は、上記ブック型収納フォルダの素材である厚紙部材（抜き型）の展開図である。図１４は、上記ブック型収納フォルダの開き状態での斜視図である。図１５は、上記ブック型収納フォルダの折り畳み状態での斜視図である。
【００７６】
本実施形態のブック型収納フォルダ５０も３頁型収納フォルダであって、その素材となる単一のシート部材である厚紙部材５は、図１３に示すように第一の頁用片体である頁用片体５１と、第二の頁用片体である頁用片体５２と、第三の頁用片体である頁用片体５３と、第一の収納部片体である収納部片体５４と、第二の収納部片体である収納部片体５５と、第三の収納部片体である収納部片体５６と、２つの背表紙部５ａ，５ｂと、３つの底面壁部５ｃ，５ｄ，５ｅと、収納部片体５４，５５，５６のそれぞれ左右両側方に収納用側面壁部５ｆ，５f0，５ｈ，５ｊと、収納用側面壁部５ｆ，５f0の左右外側に連設される第一の糊代用片体である糊代用片体５ｇ，５g0と、収納用側面壁部５ｈの左右外側に連設される第二の糊代用片体である糊代用片体５ｉと、収納用側面壁部５ｊの左右外側に連設される第三の糊代用片体である糊代用片体５ｋとを有している。
【００７７】
頁用片体５１と頁用片体５２とは、間に背表紙部５ａを配した状態でＹ方向の２本の水平折線５ｍにて連結されている。頁用片体５１と頁用片体５３とは、間に背表紙部５ｂを配した状態でＹ方向の２本の水平折線５ｎにて連結されている。
【００７８】
収納部片体５４は、頁用片体５１に対して、間に底面壁部５ｃを配した状態でＸ方向の２本の垂直折線５ｐを介して連設されており、Ｙ方向の長さは、収納部片体５５，５６より長い。収納部片体５５は、頁用片体５２に対して、間に底面壁部５ｄを配した状態でＸ方向の２本の垂直折線５ｑを介して連設されている。収納部片体５６は、頁用片体５３に対して、間に底面壁部５ｅを配した状態でＸ方向の２本の垂直折線５ｒを介して連設されている。
【００７９】
左右の収納用側面壁部５ｆおよび糊代用片体５ｇと、左右の収納用側面壁部５f0および糊代用片体５g0とは、Ｙ方向にて分離した状態で配置される。
【００８０】
詳しくは、左右の収納用側面壁部５ｆと糊代用片体５ｇとは、それぞれ収納部片体５４の先端側のＹ方向所定長さ範囲にて収納部片体５４の外側にＹ方向の２本の水平折線５ｓを介した状態で連設されている。さらに、左右の収納用側面壁部５f0と糊代用片体５g0とは、それぞれ収納部片体５４の底面壁側のＹ方向所定長さ範囲にて収納部片体５４の外側にＹ方向の２本の水平折線５s0を介した状態で連設されている。なお、左右の収納用側面壁部５ｆと５f0とのＸ方向幅は、同一とする。また、各２本のうち、内側の水平折線５ｓおよび５s0は、水平折線５ｎ、または、５ｍの延長線上に位置している。
【００８１】
左右の収納用側面壁部５ｈと糊代用片体５ｉとは、それぞれ収納部片体５５の外側にＹ方向の２本の水平折線５ｔを介して連設されている。なお、各２本のうち、内側の水平折線５ｔは、水平折線５ｍ、または、頁用片体５２のＸ方向端面の延長線上に位置している。
【００８２】
左右の収納用側面壁部５ｊと糊代用片体５ｋとは、それぞれ収納部片体５６との間にＹ方向の２本の水平折線５ｕを介して連設されている。なお、各２本のうち、内側の水平折線５ｕは、水平折線５ｎ、または、頁用片体５３のＸ方向端面の延長線上に位置している。
【００８３】
収納部片体５４の右側糊代用片体５ｇ，５g0と収納部片体５５の左側糊代用片体５ｉとは、垂直折線の方向であるＸ方向に対しては、重なる位置にあるが、水平折線の方向であるＹ方向で異なる領域に位置している。すなわち、右側糊代用片体５ｇ，５g0の間に左側糊代用片体５ｉが位置している。したがって、上記両者は、互いに重ならずにずれた位置にある。
【００８４】
しかし、左側糊代用片体５ｉのＸ方向先端部が水平折線５ｍの線上に食い込んでおり、その食い込みによる収納部片体５４の右側辺部との干渉を避けるため、左側糊代用片体５ｉの先端外形形状に類似させた形状の切欠部５ｖを収納部片体５４の右側辺部に設ける。なお、収納部片体５４の左側辺部にも対称外形とするために切欠部５ｖを設ける。
【００８５】
収納部片体５４の左側糊代用片体５ｇ，５g0と収納部片体５６の右側糊代用片体５ｋとは、垂直折線の方向であるＸ方向に対しては、重なる位置にあるが、水平折線の方向であるＹ方向で異なる領域に位置している。すなわち、右側糊代用片体５ｇ，５g0の間に左側糊代用片体５ｋが位置している。したがって、上記両者は、互いに重ならずにずれた位置にある。
【００８６】
上述した形状を有する厚紙部材５を折り曲げてブック型収納フォルダ５０に形状にするには、図１３の破線で示す水平折線および垂直折線を谷折りする。各糊代用片体の裏面（図１３上）を各対応する頁用片体に糊付け（粘着）すると、図１４に示す開き状態のブック型収納フォルダ５０が完成する。
【００８７】
この収納フォルダ５０には、頁用片体５１と収納部片体５４と収納用側面壁部５ｆ，５f0と底面壁部５ｃで囲まれた箱状の挿入用開口部５４ａを有する第一の収納部である第二頁の収納部５４ｂが形成される。さらに、頁用片体５２と収納部片体５５と収納用側面壁部５ｈと底面壁部５ｄで囲まれた箱状の挿入用開口部５５ａを有する第二の収納部である第三頁の収納部５５ｂが形成される。またさらに、頁用片体５３と収納部片体５６と収納用側面壁部５ｊと底面壁部５ｅで囲まれた箱状の挿入用開口部５６ａを有する第三の収納部である第一頁の収納部５６ｂが形成される。
【００８８】
図１４に示す開き状態の収納フォルダ５０の上記各収納部には、使用説明書やカード等が分類して収納される。その収納状態で水平折線５ｍ，５ｎを谷折りして重なるように折り畳むと、図１５に示す携帯、または、保管可能な折り畳み状態のブック型収納フォルダ５０となる。
【００８９】
上述した本実施形態のブック型収納フォルダ５０は、前述第三の実施形態のブック型収納フォルダ３０と同様の効果を奏し、さらに、第二頁の収納部５４ｂの収納用側面壁部として上下位置に分離した状態の収納用側面壁部５ｆ，５f0が配されており、収納物の下部が収納部下方よりはみ出すことが防止される。
【００９０】
次に、本発明の第六の実施形態のブック型収納フォルダについて、図１６〜１８を用いて説明する。  
図１６は、上記ブック型収納フォルダの素材である厚紙部材（抜き型）の展開図である。図１７は、上記ブック型収納フォルダの開き状態での斜視図である。図１８は、上記ブック型収納フォルダの折り畳み状態での斜視図である。
【００９１】
本実施形態のブック型収納フォルダ６０も３頁型収納フォルダであって、その素材となる単一のシート部材である厚紙部材６は、図１６に示すように第一の頁用片体である頁用片体６１と、第二の頁用片体である頁用片体６２と、第三の頁用片体である頁用片体６３と、第一の収納部片体である収納部片体６４と、第二の収納部片体である収納部片体６５と、第三の収納部片体である収納部片体６６と、２つの背表紙部６ａ，６ｂと、３つの底面壁部６ｃ，６ｄ，６ｅと、収納部片体６４，６５，６６のそれぞれ左右両側方に収納用側面壁部６ｆ，，６ｈ，６h0，６ｊ，６j0と、収納用側面壁部６ｆの左右外側に連設される第一の糊代用片体である糊代用片体６ｇと、収納用側面壁部６ｈ，６h0の左右外側に連設される第二の糊代用片体である糊代用片体６ｉ，６i0と、収納用側面壁部６ｊ，６j0の左右外側に連設される第三の糊代用片体である糊代用片体６ｋ，６k0とを有している。
【００９２】
頁用片体６１と頁用片体６２とは、間に背表紙部６ａを配した状態でＹ方向の２本の水平折線６ｍにて連結されている。頁用片体６１と頁用片体６３とは、間に背表紙部６ｂを配した状態でＹ方向の２本の水平折線６ｎにて連結されている。
【００９３】
収納部片体６４は、頁用片体６１に対して、間に底面壁部６ｃを配した状態でＸ方向の２本の垂直折線６ｐを介して連設されており、Ｙ方向の長さは、収納部片体６５，６６より短い。収納部片体６５は、頁用片体６２に対して、間に底面壁部６ｄを配した状態でＸ方向の２本の垂直折線６ｑを介して連設されている。収納部片体６６は、頁用片体６３に対して、間に底面壁部６ｅを配した状態でＸ方向の２本の垂直折線６ｒを介して連設されている。
【００９４】
左右の収納用側面壁部６ｆと糊代用片体６ｇとは、それぞれ収納部片体６４の外側にＹ方向の２本の水平折線６ｓを介して連設されている。なお、各２本のうち、内側の水平折線６ｓは、水平折線６ｍ、または、６ｎの延長線上に位置している。
【００９５】
左右の収納用側面壁部６ｈおよび糊代用片体６ｉと、左右の収納用側面壁部６h0および糊代用片体６i0とは、Ｙ方向にて分離して配置される。
【００９６】
詳しくは、左右の収納用側面壁部６ｈと糊代用片体６ｉとは、それぞれ収納部片体６５の先端側のＹ方向所定長さ範囲にて収納部片体６５の外側にＹ方向の２本の水平折線６ｔを介した状態で連設されている。
【００９７】
さらに、左右の収納用側面壁部６h0と糊代用片体６i0とは、それぞれ収納部片体６５の底面壁側のＹ方向所定長さ範囲にて収納部片体６５の外側にＹ方向の２本の水平折線６t0を介した状態で連設されている。なお、左右の収納用側面壁部６ｈと６h0とのＸ方向幅は、同一とする。また、各２本のうち、内側の水平折線６ｔおよび６t0は、水平折線６ｍ、または、頁用片体６２のＸ方向端面の延長線上に位置している。
【００９８】
左右の収納用側面壁部６ｊおよび糊代用片体６ｋと、左右の収納用側面壁部６j0および糊代用片体６k0とは、Ｙ方向にて分離した状態で配置される。
【００９９】
詳しくは、左右の収納用側面壁部６ｊと糊代用片体６ｋとは、それぞれ収納部片体６６の先端側のＹ方向所定長さ範囲にて収納部片体６６の外側にＹ方向の２本の水平折線６ｕを介した状態で連設されている。さらに、左右の収納用側面壁部６j0と糊代用片体６k0とは、それぞれ収納部片体６６の底面壁側のＹ方向所定長さ範囲にて収納部片体６６の外側にＹ方向の２本の水平折線６u0を介した状態で連設されている。なお、左右の収納用側面壁部６ｊと６j0とのＸ方向幅は、同一とする。また、各２本のうち、内側の水平折線６ｕおよび６u0は、水平折線６ｎ、または、頁用片体６３のＸ方向端面の延長線上に位置している。
【０１００】
収納部片体６４の右側糊代用片体６ｇと、収納部片体６５の左側糊代用片体６ｉ，６i0とは、垂直折線の方向であるＸ方向に対しては、重なる位置にあるが、水平折線の方向であるＹ方向で異なる領域に位置している。すなわち、左側糊代用片体６ｉ，６i0の間に右側糊代用片体６ｇが位置している。したがって、上記両者は、互いに重ならずにずれた位置にある。
【０１０１】
但し、右側糊代用片体６ｇのＸ方向先端部が水平折線６ｍの線上に食い込んでおり、その食い込みによる収納部片体６５の左側辺部との干渉を避けるため、右側糊代用片体６ｇの先端外形形状に類似させた形状の切欠部６ｘを収納部片体６５の左側辺部に設ける。なお、収納部片体６５の右側辺部にも対称外形とするために切欠部６ｘを設ける。
【０１０２】
収納部片体６４の左側糊代用片体６ｇと、収納部片体６６の右側糊代用片体６ｋ，６k0とは、垂直折線の方向であるＸ方向に対しては、重なる位置にあるが、水平折線の方向であるＹ方向で異なる領域に位置している。すなわち、右側糊代用片体６ｋ，６k0の間に左側糊代用片体６ｇが位置している。したがって、上記両者は、互いに重ならずにずれた位置にある。
【０１０３】
但し、左側糊代用片体６ｇのＸ方向先端部が水平折線６ｎの線上に食い込んでおり、その食い込みによる収納部片体６６の右側辺部との干渉を避けるため、左側糊代用片体６ｇの先端外形形状に類似させた形状の切欠部６ｙを収納部片体６６の右側辺部に設ける。なお、収納部片体６６の左側辺部にも対称外形とするために切欠部６ｙを設ける。
【０１０４】
上述した形状を有する厚紙部材６を折り曲げてブック型収納フォルダ６０の形状にするには、図１６の破線で示す水平折線および垂直折線を谷折りする。各糊代用片体の裏面（図１６上）を各対応する頁用片体に糊付け（粘着）すると、図１７に示す開き状態のブック型収納フォルダ６０が完成する。
【０１０５】
この収納フォルダ６０には、頁用片体６１と収納部片体６４と収納用側面壁部６f0と底面壁部６ｃで囲まれた箱状の挿入用開口部６４ａを有する第一の収納部である第二頁の収納部６４ｂが形成される。さらに、頁用片体６２と収納部片体６５と収納用側面壁部６ｈ，6h0と底面壁部６ｄで囲まれた箱状の挿入用開口部６５ａを有する第二の収納部である第三頁の収納部６５ｂが形成される。またさらに、頁用片体６３と収納部片体６６と収納用側面壁部６ｊ，6j0と底面壁部６ｅで囲まれた箱状の挿入用開口部６６ａを有する第三の収納部である第一頁の収納部６６ｂが形成される。
【０１０６】
図１７に示す開き状態の収納フォルダ６０の上記各収納部には、使用説明書やカード等が分類して収納される。その収納状態で水平折線６ｍ，６ｎを谷折りして重なるように折り畳むと、図１８に示す携帯、または、保管が可能な折り畳み状態のブック型収納フォルダ６０となる。
【０１０７】
上述した本実施形態のブック型収納フォルダ６０は、前述第五の実施形態のブック型収納フォルダ６０と同様の効果を奏し、さらに、第一，三頁の収納部６５ｂおよび６６ｂの収納用側面壁部としてそれぞれ上下位置に分離した状態の収納用側面壁部６ｈ，６h0および６ｊ，６j0が配されており、収納物の下部が収納部よりはみ出すのを防止することができる。
【０１０８】
次に、本発明の第七の実施形態のブック型収納フォルダについて、図１９〜２１を用いて説明する。  
図１９は、本実施形態のブック型収納フォルダの素材である厚紙部材（抜き型）の展開図である。図２０は、上記ブック型収納フォルダの開き状態での斜視図である。図２１は、上記ブック型収納フォルダの折り畳み状態での斜視図である。
【０１０９】
本実施形態のブック型収納フォルダ７０も３頁型収納フォルダであって、その素材となる単一のシート部材である厚紙部材７は、図１９に示すように第一の頁用片体である頁用片体７１と、第二の頁用片体である頁用片体７２と、第三の頁用片体である頁用片体７３と、第一の収納部片体である収納部片体７４と、第二の収納部片体である収納部片体７５と、第三の収納部片体である収納部片体７６と、２つの背表紙部７ａ，７ｂと、３つの底面壁部７ｃ，７ｄ，７ｅと、収納部片体７４，７５，７６のそれぞれ左右両側方に収納用側面壁部７ｆ，７ｈ，７ｊと、収納用側面壁部７ｆの左右外側に連設される第一の糊代用片体である糊代用片体７ｇと、収納用側面壁部７ｈの左右外側に連設される第二の糊代用片体である糊代用片体７ｉと、収納用側面壁部７ｊの左右外側に連設される第三の糊代用片体である糊代用片体７ｋとを有している。
【０１１０】
頁用片体７１と頁用片体７２とは、間に背表紙部７ａを配した状態でＹ方向の２本の水平折線７ｍにて連結されている。頁用片体７１と頁用片体７３とは、間に背表紙部７ｂを配した状態でＹ方向の２本の水平折線７ｎにて連結されている。
【０１１１】
収納部片体７４は、頁用片体７１に対して、間に底面壁部７ｃを配した状態でＸ方向の２本の垂直折線７ｐを介して連設されており、収納部片体７４のＸ方向の幅は、頁用片体７１の幅より狭くなっている。収納部片体７５は、頁用片体７２に対して、間に底面壁部７ｄを配した状態でＸ方向の２本の垂直折線７ｑを介して連設されおり、収納部片体７５のＸ方向の幅は、頁用片体７２の幅と等しくなっている。収納部片体７６は、頁用片体７３に対して、間に底面壁部７ｅを配した状態でＸ方向の２本の垂直折線７ｒを介して連設されており、収納部片体７６のＸ方向の幅は、頁用片体７３の幅と等しくなっている。
【０１１２】
左右の収納用側面壁部７ｆと糊代用片体７ｇとは、それぞれ収納部片体７４の外側にＹ方向の２本の水平折線７ｓを介して連設されている。なお、各２本のうち、内側の水平折線７ｓは、水平折線７ｎ、または、７ｍの延長線の内側に位置している。
【０１１３】
左右の収納用側面壁部７ｈと糊代用片体７ｉとは、それぞれ収納部片体７５の外側にＹ方向の２本の水平折線７ｔを介して連設されている。なお、各２本のうち、内側の水平折線７ｔは、水平折線７ｍ、または、頁用片体７２のＸ方向端面の延長線上に位置している。
【０１１４】
左右の収納用側面壁部７ｊと糊代用片体７ｋとは、それぞれ収納部片体７６の外側にＹ方向の２本の水平折線７ｕを介して連設されている。なお、各２本のうち、内側の水平折線７ｕは、水平折線７ｎ、または、頁用片体７３のＸ方向端面の延長線上に位置している。
【０１１５】
収納部片体７４の右側糊代用片体７ｇと収納部片体７５の左側糊代用片体７ｉとは、垂直折線の方向であるＸ方向に対して重ならない位置にある。同様に収納部片体７４の左側糊代用片体７ｇと収納部片体７６の右側糊代用片体７ｋとは、垂直折線の方向であるＸ方向に対して重ならない位置にある。
【０１１６】
上述した形状を有する厚紙部材７を折り曲げてブック型収納フォルダ７０の形状にするには、図１９の破線で示す水平折線および垂直折線を谷折りする。各糊代用片体の裏面（図１９上）を各対応する頁用片体に糊付け（粘着）すると、図２０に示す開き状態のブック型収納フォルダ７０が完成する。
【０１１７】
この収納フォルダ７０には、頁用片体７１と収納部片体７４と収納用側面壁部７ｆと底面壁部７ｃで囲まれた箱状の挿入用開口部７４ａを有する第一の収納部である第二頁の収納部７４ｂが形成される。さらに、頁用片体７２と収納部片体７５と収納用側面壁部７ｈと底面壁部７ｄで囲まれた箱状の挿入用開口部７５ａを有する第二の収納部である第三頁の収納部７５ｂが形成される。またさらに、頁用片体７３と収納部片体７６と収納用側面壁部７ｊと底面壁部７ｅで囲まれた箱状の挿入用開口部７６ａを有する第三の収納部である第一頁の収納部７６ｂが形成される。
【０１１８】
図２０に示す開き状態の収納フォルダ７０の上記各収納部には、使用説明書やカード等が分類して収納される。その収納状態で水平折線７ｍ，７ｎを谷折りして重なるように折り畳むと、図２１に示す携帯、または、保管が可能な折り畳み状態のブック型収納フォルダ７０となる。
【０１１９】
以上、説明した本実施形態のブック型収納フォルダ７０によれば、前述した第一の実施形態の場合と同様の効果を奏し、さらに、適宜、頁用片体の幅よりも狭い幅の収納部を設けることが可能である。
【０１２０】
なお、上述した各実施形態においては、ブック型収納フォルダの素材として厚紙部材を例にして説明したが、素材として合成樹脂シートを適用し、糊代部（糊代用片体）を接着や溶着等により貼り付けるようにしてもよい。また、他のシート材も使用可能である。
【産業上の利用可能性】
【０１２１】
本発明によるブック型収納フォルダは、素材となるシート部材の型抜きの板取り効率がよく、組み立ても容易であり、さらに、３頁以上の収納フォルダにも適用可能なブック型収納フォルダとして利用可能である。
【図面の簡単な説明】
【０１２２】
【図１】本発明の第一の実施形態のブック型収納フォルダの素材となる厚紙部材（抜き型）の展開図である。
【図２】図１のブック型収納フォルダの開き状態での斜視図である。
【図３】図１のブック型収納フォルダの折り畳み状態での斜視図である。
【図４】本発明の第二の実施形態のブック型収納フォルダの素材となる厚紙部材（抜き型）の展開図である。
【図５】図４のブック型収納フォルダの開き状態での斜視図である。
【図６】図４のブック型収納フォルダの折り畳み状態での斜視図である。
【図７】本発明の第三の実施形態のブック型収納フォルダの素材となる厚紙部材（抜き型）の展開図である。
【図８】図７のブック型収納フォルダの開き状態での斜視図である。
【図９】図７のブック型収納フォルダの折り畳み状態での斜視図である。
【図１０】本発明の第四の実施形態のブック型収納フォルダの素材となる厚紙部材（抜き型）の展開図である。
【図１１】図１０のブック型収納フォルダの開き状態での斜視図である。
【図１２】図１０のブック型収納フォルダの折り畳み状態での斜視図である。
【図１３】本発明の第五の実施形態のブック型収納フォルダの素材となる厚紙部材（抜き型）の展開図である。
【図１４】図１３のブック型収納フォルダの開き状態での斜視図である。
【図１５】図１３のブック型収納フォルダの折り畳み状態での斜視図である。
【図１６】本発明の第六の実施形態のブック型収納フォルダの素材となる厚紙部材（抜き型）の展開図である。
【図１７】図１６のブック型収納フォルダの開き状態での斜視図である。
【図１８】図１６のブック型収納フォルダの折り畳み状態での斜視図である。
【図１９】本発明の第七の実施形態のブック型収納フォルダの素材となる厚紙部材（抜き型）の展開図である。
【図２０】図１９のブック型収納フォルダの開き状態での斜視図である。
【図２１】図１９のブック型収納フォルダの折り畳み状態での斜視図である。
【図２２】従来のブック型収納フォルダの一例の素材となる厚紙部材（抜き型）の展開図である。
【図２３】図２２のブック型収納フォルダの開き状態での斜視図である。
【図２４】図２２のブック型収納フォルダの折り畳み状態での斜視図である。
【図２５】図２２のブック型収納フォルダに適用しようとする厚紙部材（抜き型）の展開図であって、板取りができない例を示す。
【図２６】従来のブック型収納フォルダの他の例の素材となる厚紙部材（抜き型）の展開図である。
【図２７】図２６のブック型収納フォルダの開き状態での斜視図である。
【図２８】図２６のブック型収納フォルダの折り畳み状態での斜視図である。
【符号の説明】
【０１２３】
１０，２０，３０，４０，５０，
６０，７０…ブック型収納フォルダ
１１，２１，３１，４１，５１，
６１，７１…頁用片体（第一の頁用片体）
１２，２２，３２，４２，５２，
６２，７２…頁用片体（第二の頁用片体）
１３，２３，３３，４３，５３，
６３，７３…頁用片体（第三の頁用片体）
１４，２４，３４，４４，５４，
６４，７４…収納部用片体（第一の収納部用片体）
１５，２５，３５，４５，５５，
６５，７５…収納部用片体（第二の収納部用片体）
１６，２６，３６，４６，５６，
６６，７６…収納部用片体（第三の収納部用片体）
１ａ，１ｂ，２ａ，２ｂ，３ａ，３ｂ，
４ａ，４ｂ，５ａ，５ｂ，６ａ，６ｂ，
７ａ，７ｂ…背表紙部
１ｃ，１ｄ，１ｅ，２ｃ，２ｄ，２ｅ，
３ｃ，３ｄ，３ｅ，４ｃ，４ｄ，４ｅ，
５ｃ，５ｄ，５ｅ，６ｃ，６ｄ，６ｅ，
７ｃ，７ｄ，７ｅ…底面壁部
１ｆ，１ｈ，１ｊ，２ｆ，２ｈ，２ｊ，
３ｆ，３ｈ，３ｊ，４ｆ，４ｈ，４ｊ，
５ｆ，５f0，５ｈ，５ｊ，
６ｆ，６ｈ，６h0，６ｊ，６j0，
７ｆ，７ｈ，７ｊ…収納用側面壁部
１ｇ，２ｇ，３ｇ，４ｇ，５ｇ，５g0，
６ｇ，７ｇ…糊代用片体（第一の糊代用片体）
１ｉ，２ｉ，３ｉ，４ｉ，５ｉ，
６ｉ，６i0，７ｉ…糊代用片体（第二の糊代用片体）
１ｋ，２ｋ，３ｋ，４ｋ，５ｋ，
６ｋ，６k0，７ｋ…糊代用片体（第三の糊代用片体）
１ｍ，１ｎ，１ｓ，１ｔ，１u，
２ｍ，２ｎ，２ｓ，２ｔ，２ｕ，
３ｍ，３ｎ，３ｓ，３ｔ，３ｕ，
４ｍ，４ｎ，４ｓ，４ｔ，４ｕ，
５ｍ，５ｎ，５ｓ，５s0，５ｔ，５ｕ，
６ｍ，６ｎ，６ｓ，６ｔ，６t0，６ｕ，６u0，
７ｍ，７ｎ，７ｓ，７ｔ，７ｕ…水平折線
１ｐ，１ｑ，１ｒ，２ｐ，２ｑ，２ｒ，
３ｐ，３ｑ，３ｒ，４ｐ，４ｑ，４ｒ，
５ｐ，５ｑ，５ｒ，６ｐ，６ｑ，６ｒ，
７ｐ，７ｑ，７ｒ…垂直折線
１４ａ，１５ａ，１６ａ，２４ａ，２５ａ，２６ａ，
３４ａ，３５ａ，３６ａ，４４ａ，４５ａ，４６ａ，
５４ａ，５５ａ，５６ａ，６４ａ，６５ａ，６６ａ，
７４ａ，７５ａ，７６ａ…挿入用開口部
１４ｂ，２４ｂ，３４ｂ，４４ｂ，５４ｂ，
６４ｂ，７４ｂ…収納部（第一の収納部）
１５ｂ，２５ｂ，３５ｂ，４５ｂ，５５ｂ，
６５ｂ，７５ｂ…収納部（第二の収納部）
１６ｂ，２６ｂ，３６ｂ，４６ｂ，５６ｂ，
６６ｂ，７６ｂ…収納部（第三の収納部）
３ｖ，４ｘ，５ｖ，６ｘ，６ｙ…切欠部
代理人      弁理士    伊  藤    進
【図１】
2006036330.tif 000003
【図２】
2006036330.tif 000004
【図３】
2006036330.tif 000005
【図４】
2006036330.tif 000006
【図５】
2006036330.tif 000007
【図６】
2006036330.tif 000008
【図７】
2006036330.tif 000009
【図８】
2006036330.tif 000010
【図９】
2006036330.tif 000011
【図１０】
2006036330.tif 000012
【図１１】
2006036330.tif 000013
【図１２】
2006036330.tif 000014
【図１３】
2006036330.tif 000015
【図１４】
2006036330.tif 000016
【図１５】
2006036330.tif 000017
【図１６】
2006036330.tif 000018
【図１７】
2006036330.tif 000019
【図１８】
2006036330.tif 000020
【図１９】
2006036330.tif 000021
【図２０】
2006036330.tif 000022
【図２１】
2006036330.tif 000023
【図２２】
2006036330.tif 000024
【図２３】
2006036330.tif 000025
【図２４】
2006036330.tif 000026
【図２５】
2006036330.tif 000027
【図２６】
2006036330.tif 000028
【図２７】
2006036330.tif 000029
【図２８】
2006036330.tif 000030
【手続補正書】
【提出日】平成16年8月25日(2004.8.25)
【手続補正１】
【補正対象書類名】明細書
【補正対象項目名】０００５
【補正方法】変更
【補正の内容】
【０００５】
図２２の破線で示した折線を谷折りして組み立て、糊代用片体１０１ｆ，１０１ｇを頁用片体１０１ａ，１０１ｂにそれぞれ糊付けすると、図２３に示す開き状態の２頁型収納フォルダ１００が得られる。この収納フォルダ１００を折り畳むと図２４の折り畳み状態となり、この状態で携帯、あるいは、保管が可能である。